(57)【特許請求の範囲】
【請求項１】
複数の通信システムのいずれか一を選択して基地局との無線通信を行う無線通信端末であって、
所定の捕捉順位で順に各通信システムの捕捉処理を行うと共に各通信システムの捕捉状態を検出するシステム捕捉部と、
捕捉に成功した通信システムにて登録要求を送信し、該登録要求に対する返答を得ることで登録処理を行う登録処理部と、
各通信システムの捕捉状態と前記登録処理状態とに応じて前記捕捉順位に優先度を設定する捕捉順位設定部とを備え、
該捕捉順位設定部は、捕捉に成功したが前記登録要求に対する返答の得られなかったオーバリーチ状態である通信システムの優先度を下げ、捕捉に失敗した通信システムには最も低い優先度を設定すると共に、前記システム捕捉部が各通信システムの捕捉処理及び捕捉状態の検出を行う毎にこれら優先度の更新処理を行うことを特徴とする無線通信端末。
【請求項２】
前記システム捕捉部は、前記優先度に従った捕捉順位で各通信システムの捕捉処理を所定の回数だけ行うことを特徴とする請求項１記載の無線通信端末。
【請求項３】
前記システム捕捉部は、前記所定の回数前記優先度に従った捕捉順位で各通信システムの捕捉処理を行ってもなお前記登録処理を行うことができない場合、所定の時間スリープ状態に移行することを特徴とする請求項２記載の無線通信端末。
【請求項４】
前記システム捕捉部は、前記スリープ状態から復帰後、スリープ状態移行前に設定された優先度に従った捕捉順位で順に各通信システムの捕捉処理を行い、前記オーバリーチ状態である通信システムが存在する場合、再度スリープ状態に移行することを特徴とする請求項３記載の無線通信端末。
【請求項５】
前記システム捕捉部は、前記スリープ状態から復帰後、スリープ状態移行前に設定された優先度に従った捕捉順位で順に各通信システムの捕捉処理を行い、捕捉に失敗した通信システムが存在する場合、当該捕捉に失敗した通信システムの次の順位の通信システムに対して捕捉処理を行うことを特徴とする請求項３または４記載の無線通信端末。
【請求項６】
複数の通信システムのいずれか一を選択して基地局との無線通信を行う無線通信方法であって、
所定の捕捉順位で順に各通信システムの捕捉処理を行うと共に各通信システムの捕捉状態を検出する第1ステップと、
捕捉に成功した通信システムにて登録要求を送信し、該登録要求に対する返答を得ることで登録処理を行う第２ステップと、
各通信システムの捕捉状態と前記登録処理状態とに応じて前記捕捉順位に優先度を設定する第３ステップとを有し、
該第３ステップでは、捕捉に成功したが前記登録要求に対する返答の得られなかったオーバリーチ状態である通信システムの優先度を下げ、捕捉に失敗した通信システムには最も低い優先度を設定すると共に、前記システム捕捉部が各通信システムの捕捉処理及び捕捉状態の検出を行う毎にこれら優先度の更新処理を行うことを特徴とする無線通信方法。
【請求項７】
前記第１ステップでは、前記優先度に従った捕捉順位で各通信システムの捕捉処理を所定の回数だけ行うことを特徴とする請求項６記載の無線通信方法。
【請求項８】
前記第１ステップでは、前記所定の回数前記優先度に従った捕捉順位で各通信システムの捕捉処理を行ってもなお前記登録処理を行うことができない場合、所定の時間スリープ状態に移行することを特徴とする請求項７記載の無線通信方法。
【請求項９】
前記第１ステップでは、前記スリープ状態から復帰後、スリープ状態移行前に設定された優先度に従った捕捉順位で順に各通信システムの捕捉処理を行い、前記オーバリーチ状態である通信システムが存在する場合、再度スリープ状態に移行することを特徴とする請求項８記載の無線通信方法。
【請求項１０】
前記第１ステップでは、前記スリープ状態から復帰後、スリープ状態移行前に設定された優先度に従った捕捉順位で順に各通信システムの捕捉処理を行い、捕捉に失敗した通信システムが存在する場合、当該捕捉に失敗した通信システムの次の順位の通信システムに対して捕捉処理を行うことを特徴とする請求項８または９記載の無線通信方法。
【発明の詳細な説明】
【技術分野】
【０００１】
本発明は、無線通信端末及び無線通信方法に関する。
【背景技術】
【０００２】
従来、複数の通信システムの内いずれか１つを使用して基地局との無線通信を行う無線通信端末における位置登録動作中の電力消費を抑える方法として、例えば、所定の順序で各通信システムの捕捉処理を行い、一定時間内に全ての通信システムの捕捉が成功しなければスリープ状態に移行し、所定の間隔でスリープ状態から復帰して再度捕捉処理を試みる、という方法が採用されている。また、捕捉した通信システムがオーバリーチ状態であった場合、当該通信システムは捕捉失敗とみなされ、上記と同様に再度捕捉処理が行われる。
【０００３】
ここで、例えば、ＣＤＭＡ2000 １ｘ（Code division Multiple Access 2000 1x）方式の場合、２ＧＨｚ帯を用いる第1の通信システムと８００ＭＨｚ帯を用いる第２の通信システムとの２つの通信システムが存在し、第1の通信システム及び第２の通信システムはそれぞれサーチすべき２つのキャリア周波数を有している。無線通信端末は、基地局から送信される信号をサーチして、第1の通信システムのキャリア周波数を含む信号の内、一方の捕捉に成功すれば登録処理を行い、第1の通信システムにて待ち受け状態に移行する。また、第1の通信システムが有するキャリア周波数を含む信号を捕捉できなかった場合、第２の通信システムが有するキャリア周波数を含む信号の捕捉を試み、当該捕捉に成功すれば第２の通信システムにて待ち受け状態に移行する。
このように、通信システムの捕捉とは、通信システムが有するキャリア周波数を含む信号を捕捉することを意味する。
【０００４】
なお、オーバリーチとは、無線通信端末が遠く離れた別のセルに存在する基地局から電波を受信することである。無線通信端末がオーバリーチ状態にあると、現在位置しているセル内の基地局ではなく、上記のような遠く離れた別のセルに存在する基地局と無線通信を行うため、このような遠方の基地局に対して大電力信号の送信を行うことになり、位置登録動作中の電力消費が増大する（例えば下記特許文献１参照）。
【特許文献１】特開２００２−４４００６号公報
【発明の開示】
【発明が解決しようとする課題】
【０００５】
ところで、上記のようにオーバリーチ状態が発生したとしても、例えば、捕捉すべき通信システムが少ない場合、オーバリーチ状態で位置登録動作を行っても、電力消費に関しては大きな影響はない。しかしながら、トライバンド対応の無線通信端末のように捕捉すべき通信システムが多い場合や１つの通信システムが有するキャリア周波数が多数ある場合では、オーバリーチ状態で捕捉した通信システムが存在すると、何度も再捕捉動作を行うことにより位置登録動作中の電力消費が大きくなるという問題がある。本発明者は、将来的に、複数の通信システムに対応する無線通信端末の増加に伴い、上記のような位置登録動作中の電力消費を低減する技術の要望が強まると考え、本発明を出願するものである。
【０００６】
本発明は、上述した事情に鑑みてなされたものであり、複数の通信システムの内１つを使用して無線通信を行う無線通信端末において、位置登録動作中の電力消費を低減することを目的とする。
【課題を解決するための手段】
【０００７】
上記目的を達成するために、本発明では、無線通信端末に係る第１の解決手段として、複数の通信システムのいずれか一を選択して基地局との無線通信を行う無線通信端末であって、所定の捕捉順位で順に各通信システムの捕捉処理を行うと共に各通信システムの捕捉状態を検出するシステム捕捉部と、捕捉に成功した通信システムにて登録要求を送信し、該登録要求に対する返答を得ることで登録処理を行う登録処理部と、各通信システムの捕捉状態と前記登録処理状態とに応じて前記捕捉順位に優先度を設定する捕捉順位設定部とを備え、該捕捉順位設定部は、捕捉に成功したが前記登録要求に対する返答の得られなかったオーバリーチ状態である通信システムの優先度を下げ、捕捉に失敗した通信システムには最も低い優先度を設定すると共に、前記システム捕捉部が各通信システムの捕捉処理及び捕捉状態の検出を行う毎にこれら優先度の更新処理を行うことを特徴とする。
【０００８】
また、本発明では、無線通信端末に係る第２の解決手段として、上記第１の解決手段において、前記システム捕捉部は、前記優先度に従った捕捉順位で各通信システムの捕捉処理を所定の回数だけ行うことを特徴とする。
【０００９】
また、本発明では、無線通信端末に係る第３の解決手段として、上記第２の解決手段において、前記システム捕捉部は、前記所定の回数前記優先度に従った捕捉順位で各通信システムの捕捉処理を行ってもなお前記登録処理を行うことができない場合、所定の時間スリープ状態に移行することを特徴とする。
【００１０】
また、本発明では、無線通信端末に係る第４の解決手段として、上記第３の解決手段に
おいて、前記システム捕捉部は、前記スリープ状態から復帰後、スリープ状態移行前に設定された優先度に従った捕捉順位で順に各通信システムの捕捉処理を行い、前記オーバリーチ状態である通信システムが存在する場合、再度スリープ状態に移行することを特徴とする。
【００１１】
また、本発明では、無線通信端末に係る第５の解決手段として、上記第３または４の解決手段において、前記システム捕捉部は、前記スリープ状態から復帰後、スリープ状態移行前に設定された優先度に従った捕捉順位で順に各通信システムの捕捉処理を行い、捕捉に失敗した通信システムが存在する場合、当該捕捉に失敗した通信システムの次の順位の通信システムに対して捕捉処理を行うことを特徴とする。
【００１２】
一方、本発明では、無線通信方法に係る第１の解決手段として、複数の通信システムのいずれか一を選択して基地局との無線通信を行う無線通信方法であって、所定の捕捉順位で順に各通信システムの捕捉処理を行うと共に各通信システムの捕捉状態を検出する第1ステップと、捕捉に成功した通信システムにて登録要求を送信し、該登録要求に対する返答を得ることで登録処理を行う第２ステップと、各通信システムの捕捉状態と前記登録処理状態とに応じて前記捕捉順位に優先度を設定する第３ステップとを有し、該第３ステップでは、捕捉に成功したが前記登録要求に対する返答の得られなかったオーバリーチ状態である通信システムの優先度を下げ、捕捉に失敗した通信システムには最も低い優先度を設定すると共に、前記システム捕捉部が各通信システムの捕捉処理及び捕捉状態の検出を行う毎にこれら優先度の更新処理を行うことを特徴とする。
【００１３】
また、本発明では、無線通信方法に係る第２の解決手段として、上記第１の解決手段において、前記第１ステップでは、前記優先度に従った捕捉順位で各通信システムの捕捉処理を所定の回数だけ行うことを特徴とする。
【００１４】
また、本発明では、無線通信方法に係る第３の解決手段として、上記第２の解決手段において、前記第１ステップでは、前記所定の回数前記優先度に従った捕捉順位で各通信システムの捕捉処理を行ってもなお前記登録処理を行うことができない場合、所定の時間スリープ状態に移行することを特徴とする。
【００１５】
また、本発明では、無線通信方法に係る第４の解決手段として、上記第３の解決手段において、前記第１ステップでは、前記スリープ状態から復帰後、スリープ状態移行前に設定された優先度に従った捕捉順位で順に各通信システムの捕捉処理を行い、前記オーバリーチ状態である通信システムが存在する場合、再度スリープ状態に移行することを特徴とする。
【００１６】
また、本発明では、無線通信方法に係る第５の解決手段として、上記第３または４の解決手段において、前記第１ステップでは、前記スリープ状態から復帰後、スリープ状態移行前に設定された優先度に従った捕捉順位で順に各通信システムの捕捉処理を行い、捕捉に失敗した通信システムが存在する場合、当該捕捉に失敗した通信システムの次の順位の通信システムに対して捕捉処理を行うことを特徴とする。
【発明の効果】
【００１７】
本発明によれば、複数の通信システムの内１つを使用して無線通信を行う無線通信端末において、位置登録動作中の電力消費を低減することが可能である。
【発明を実施するための最良の形態】
【００１８】
以下、図面を参照して、本発明の一実施形態について説明する。
図１は、本発明の実施形態に係る無線通信端末の機能構成を示すブロック図である。なお、本無線通信端末としては、ＣＤＭＡ2000 １ｘ方式対応の携帯電話機を例示して説明する。図１に示すように、本無線通信端末は、無線通信部１、キー入力部２、表示部３、音声出力部４、カメラ部５、制御部６及び記憶部７から構成されている。なお、制御部６は、システム捕捉部６ａ、登録処理部６ｂ及び捕捉順位設定部６ｃを有している。
【００１９】
無線通信部１は、制御部６による制御の下、ＣＤＭＡ2000 １ｘ方式における２ＧＨｚ帯を用いる第1の通信システムと８００ＭＨｚ帯を用いる第２の通信システムとの２つの通信システムの内１つを使用して図示しない基地局との無線通信を行う。なお、この無線通信部１は、システム捕捉部６ａによる制御の下、位置登録動作中に所定の捕捉順位で各通信システムの捕捉処理を行う。キー入力部２は、ダイヤルキー、ファンクションキー、電源キー等から構成されており、これらキーの操作情報を操作信号として制御部６に出力する。
【００２０】
表示部３は、例えば液晶ディスプレイや有機ＥＬディスプレイ等であり、制御部６から入力される表示信号に基づいて各種メッセージや画像等を表示する。音声出力部４は、制御部６から入力される音声信号に基づいて音声やサウンドを外部に出力する。カメラ部５は、例えばＣＣＤ（Charge Coupled Device）カメラであり、制御部６の制御の下、撮影した画像の画像信号を制御部６に出力する。
【００２１】
制御部６は、記憶部７に予め記憶された所定の制御プログラム、キー入力部２から入力される操作信号及び無線通信部１の通信状態等に基づいて、本無線通信端末の全体動作を制御するものである。また、この制御部６は、システム捕捉部６ａ、登録処理部６ｂ及び捕捉順位設定部６ｃを有しており、システム捕捉部６ａは、位置登録動作中に、記憶部７に記憶されている捕捉順位テーブルに基づく捕捉順位で各通信システムの捕捉処理を行うように無線通信部１を制御すると共に、各通信システムの捕捉状態（捕捉に成功したか否か）を検出する。登録処理部６ｂは、捕捉に成功した通信システムにて位置登録要求（レジストレーション信号）を基地局へ送信し、該位置登録要求に対する返答（ＡＣＫ信号）を得ることで位置登録処理を行う。捕捉順位設定部６ｃは、上記システム捕捉部６ａによる各通信システムの捕捉状態の検出結果と、登録処理部６ｂによる登録処理状態（ＡＣＫ信号を受信したか否か）とに基づいて捕捉順位テーブルにて設定された捕捉順位の優先度を更新する。
【００２２】
記憶部７は、例えばフラッシュメモリであり、制御部６が実行する制御プログラムを予め記憶すると共に、捕捉順位テーブル、カメラ部５から入力された画像信号、その他のデータを記憶する。なお、本実施形態では、上記システム捕捉部６ａ、登録処理部６ｂ及び捕捉順位設定部６ｃを個別に説明したが、これらの機能を制御部６として一体化しても良い。
【００２３】
次に、このように構成された本無線通信端末の動作（具体的にはシステム捕捉部６ａ、登録処理部６ｂ及び捕捉順位設定部６ｃによる各通信システムの捕捉処理）について図２のフローチャートを用いて説明する。なお、以下の説明は、基地局に対する位置登録動作中における各通信システムの捕捉処理について説明したものである。
【００２４】
まず、システム捕捉部６ａは、制御変数ｎ＝０と設定する（ステップＳ１）。そして、システム捕捉部６ａは、図３（ａ）に示すような記憶部７に記憶されている捕捉順位テーブルに従って、各通信システムの捕捉処理を行うように無線通信部１を制御する（ステップＳ２）。図３（ａ）は、初期状態における捕捉順位テーブルを示している。なお、この図において、キャリア周波数Ａ及びＢは、第1の通信システムが有するキャリア周波数を示し、キャリア周波数Ｃ及びＤは、第２の通信システムが有するキャリア周波数を示している。また、初期状態では、これらキャリア周波数を含む信号の捕捉順位の優先度は、キャリア周波数Ａを「１」とし（１が最も優先度が高い）、キャリア周波数Ｂを「２」、キャリア周波数Ｃを「３」、キャリア周波数を「４」と設定しているものとする。すなわち、ステップＳ２では、基地局から送信される信号をサーチし、キャリア周波数Ａを含む信号の捕捉処理を行う。
【００２５】
続いて、システム捕捉部６ａは、キャリア周波数Ａを含む信号の捕捉状態を検出し（ステップＳ３）、捕捉に成功したか否かを判定する（ステップＳ４）。このステップＳ４において、「YES」、つまり捕捉に成功した場合、登録処理部６ｂは位置登録処理、すなわち基地局へレジストレーション信号を送信するように無線通信部１を制御する（ステップＳ５）。
【００２６】
そして、登録処理部６ｂは、基地局からＡＣＫ信号が送信されたか否かを判定し（ステップＳ６）、「YES」、つまりＡＣＫ信号を受信した場合、正常に位置登録が完了したと判定し、捕捉したキャリア周波数Ａを有する通信システム（この場合、第1の通信システム）にて待ち受け状態に移行する（ステップＳ１４）。一方、ステップＳ６において、「NO」、つまりＡＣＫ信号を受信できなかった場合、登録処理部６ｂは、捕捉に成功したキャリア周波数Ａを含む信号がオーバリーチ状態であると判定する（ステップＳ７）。
【００２７】
一方、ステップＳ４において、「NO」、つまり捕捉に失敗した場合、ステップＳ８の処理に移行する。つまり、捕捉に失敗したか、または捕捉に成功したがオーバリーチ状態であった場合には、ステップＳ８の捕捉順位設定部６ｃによる捕捉順位テーブルの更新が行われる。捕捉順位設定部６ｃは、捕捉に失敗したキャリア周波数の優先度を最も低く設定し、オーバリーチ状態であったキャリア周波数の優先度は捕捉失敗のキャリア周波数の優先度より高く設定する。具体的に説明すると、例えば、キャリア周波数Ａの捕捉に失敗した場合、図３（ｂ）に示すように、キャリア周波数Ａの優先度を最も低い「４」に更新する。
【００２８】
そして、システム捕捉部６ａは、全通信システムの各キャリア周波数について捕捉処理が完了したか否かを判定し（ステップＳ９）、「NO」の場合、捕捉順位テーブルに従って、次の優先度のキャリア周波数（この場合、キャリア周波数Ｂ）について捕捉処理を行う（ステップＳ１０）。ステップＳ１０の処理が終了すると、ステップＳ３の処理に戻る。
【００２９】
このように、ステップＳ２〜Ｓ１０の処理を繰り返すことで、全通信システムの各キャリア周波数について捕捉処理を行う。さらに詳しく説明すると、例えば上記のように、１順目でキャリア周波数Ａについての捕捉に失敗し、２順目でキャリア周波数Ｂについて捕捉処理を行い、捕捉には成功したがオーバリーチ状態であった場合は、図３（ｃ）に示すように、キャリア周波数Ｂの優先度を「３」、つまり優先度は下がるがキャリア周波数Ａよりは高い優先度に更新する。
【００３０】
また、３順目でキャリア周波数Ｃについての捕捉に失敗した場合は、図３（ｄ）に示すように、キャリア周波数Ｃの優先度を「４」に更新する。つまり捕捉に失敗したので優先度は下がるが、キャリア周波数Ａよりはもともと優先度が低いのでキャリア周波数Ｃの優先度は最低となる。さらに、４順目でキャリア周波数Ｄについての捕捉には成功したがオーバリーチ状態であった場合は、図３（ｅ）に示すように、キャリア周波数Ｄの優先度を「２」に更新する。つまり捕捉に失敗したキャリア周波数より優先度は高くなるが、キャリア周波数Ｂよりはもともと優先度が低いので、キャリア周波数Ｄの優先度は「２」となる。
【００３１】
一方、ステップＳ９において、「YES」、つまり、全通信システムの各キャリア周波数について捕捉処理が完了した場合、システム捕捉部６ａは、制御変数ｎのインクリメントを行い（ステップＳ１１）、制御変数ｎが閾値「３」より小さいか否かを判定する（ステップＳ１２）。このステップＳ１２において、「YES」、つまり制御変数ｎ＜閾値「３」の場合、システム捕捉部６ａは、ステップＳ２の処理に戻り、捕捉順位設定部６ｃによって更新された捕捉順位テーブルに基づいて全通信システムの各キャリア周波数について再度捕捉処理を行う。一方、ステップＳ１２において「NO」、つまり制御変数ｎが閾値「３」以上の場合はスリープモードルーチンに移行する（ステップＳ１３）。なお、上記閾値は「３」に限定されず、適宜変更可能である。
【００３２】
このように、再度捕捉処理を行う場合には、更新された捕捉順位テーブルに従って、捕捉に成功したがオーバリーチ状態のキャリア周波数についての捕捉処理を優先的に行い、捕捉に失敗したキャリア周波数についての捕捉処理を後回しにすることで、各通信システムの捕捉率を向上することができる。つまり、再度捕捉処理を行った場合に、オーバリーチ状態で捕捉する可能性が減り、位置登録動作中の電力消費を低減することが可能である。
【００３３】
また、上述したように、閾値「３」で規定された再捕捉処理回数を超えても、オーバリーチ状態または／及び捕捉に失敗した通信システムが存在する場合、以下説明するスリープモードルーチンに移行することで、無駄な電力消費を抑えることが可能である。
【００３４】
図４は、スリープモードルーチンを示すフローチャートである。このスリープモードルーチンにおいて、まず、システム捕捉部６ａは、スリープ状態に移行する（ステップＳ２０）。この時、無線通信部１もスリープ状態に移行させても良い。そして、システム捕捉部６ａは、スリープモードのタイマがカウントアップしたか否かを判定し（ステップＳ２１）、「NO」、つまりタイマがカウントアップしてなければスリープ状態を維持する。一方、ステップＳ２１において、「YES」、つまりタイマがカウントアップした場合、システム捕捉部６ａは、スリープモードルーチンに移行する前に最後に更新された捕捉順位テーブルに従って、各キャリア周波数について捕捉処理を行う（ステップＳ２２）。
【００３５】
続いて、システム捕捉部６ａは、捕捉状態を検出し（ステップＳ２３）、捕捉に成功したか否かを判定する（ステップＳ２４）。このステップＳ２４において、「NO」、つまり捕捉に失敗した場合、全通信システムの各キャリア周波数について捕捉処理が完了したか否かを判定する（ステップＳ２５）。このステップＳ２５において、「NO」の場合、ステップＳ２２に戻り、捕捉順位テーブルに従って、次の優先度のキャリア周波数について捕捉処理を行う。一方、ステップＳ２５において、「YES」の場合、つまり全通信システムの各キャリア周波数についての捕捉が失敗した場合、再度捕捉処理を行っても捕捉に失敗する可能性が高いので、無駄な電力消費を抑えるためにステップＳ２０に戻ってスリープ状態に移行する。なお、このようにスリープ状態に移行する前に、全通信システムの各キャリア周波数についての再捕捉処理を所定回数行っても良い。
【００３６】
また、ステップＳ２４において、「YES」、つまり捕捉に成功した場合、登録処理部６ｂは位置登録処理、すなわち基地局へレジストレーション信号を送信するように無線通信部１を制御する（ステップＳ２６）。そして、登録処理部６ｂは、基地局からＡＣＫ信号が送信されたか否かを判定し（ステップＳ２７）、「YES」、つまりＡＣＫ信号を受信した場合、正常に位置登録が完了したと判定し、捕捉したキャリア周波数を有する通信システムにて待ち受け状態に移行する（ステップＳ３０）。一方、ステップＳ２７において、「NO」、つまりＡＣＫ信号を受信できなかった場合、登録処理部６ｂは、捕捉に成功したキャリア周波数を含む信号がオーバリーチ状態であると判定する（ステップＳ２８）。そして、捕捉順位設定部６ｂは、捕捉順位テーブルの更新を行い（ステップＳ２９）、ステップＳ２０に戻り、スリープ状態に移行する。
【００３７】
このように、スリープモードルーチンでは、オーバリーチ状態にある通信システムが存在する場合は、スリープ状態に移行することにより無駄な電力消費を抑えることができ、また、捕捉に失敗した場合は、連続的に全通信システムの再捕捉処理を行うことで各通信システムの捕捉率の向上を図ることができる。
以上のように、本実施形態によれば、複数の通信システムの内１つを使用して無線通信をおこなう無線通信端末において、捕捉順位テーブルを用いることによって効率良く通信システムの捕捉を行うことができ、位置登録動作中の電力消費を低減することが可能である。
【００３８】
なお、上記実施形態では、ＣＤＭＡ2000 １ｘ方式に対応する無線通信端末を例示して説明したが、これに限定されず、本発明はさらに多数の通信システムに対応する無線通信端末にも適用することができる。本発明は、捕捉すべきキャリア周波数や通信システムの数が多い程効果を奏するものである。
【図面の簡単な説明】
【００３９】
【図１】本発明の一実施形態における無線通信端末の構成ブロック図である。
【図２】本発明の一実施形態における無線通信端末の動作を示すフローチャートである。
【図３】本発明の一実施形態における捕捉順位テーブルを示す説明図である。
【図４】本発明の一実施形態におけるスリープモードルーチンを示すフローチャートである。
【符号の説明】
【００４０】
１…無線通信部、２…キー入力部、３…表示部、４…音声出力部、５…カメラ部、６…制御部、６ａ…システム捕捉部、６ｂ…登録処理部、６ｃ…捕捉順位設定部、７…記憶部
【図１】
0004537925.tif 000002
【図２】
0004537925.tif 000003
【図３】
0004537925.tif 000004
【図４】
0004537925.tif 000005